(57)【要約】【課題】軸受機構の提供。【解決手段】本体と枢軸を具え、該本体が第１装置に設置され、且つ該本体に溝が開設され、並びにネジ孔が開設されてネジ部品がねじ込まれて該溝を締めつけて本体と枢軸の間の緊締度を調整するのに供され、該枢軸は、その一端が本体に枢接され、もう一端が第２装置に組み付けられ、ネジ部品により該溝が圧迫されて本体と枢軸の間の緊締度が調整され、並びに枢軸に第２装置が連動して第１装置に対して回転し並びに位置決め機能を達成する。【選択図】        図１
2004245291.tif 000002
【特許請求の範囲】
【請求項１】
軸受機構において、
本体とされ、第１装置に設置され、且つ該本体に溝が開設され、並びに該溝を締めつけるネジ部品のねじ込みに供されるネジ孔が開設された、上記本体と、
枢軸とされ、その一端が該本体に枢接され、もう一端が第２装置に組み付けられた、上記枢軸と、を具え、上記ネジ部品による溝の緊迫により本体と枢軸の間の緊締度が調整され、並びに枢軸が第２装置を連帯回転させると共に位置決め機能を達成することを特徴とする、軸受機構。
【請求項２】
請求項１に記載の軸受機構において、前記本体に線体の貫通に供される貫通孔が開設されたことを特徴とする、軸受機構。
【請求項３】
請求項１に記載の軸受機構において、前記本体に位置決めネジ孔が設けられて位置決めネジがねじ込まれ、該この位置決めネジにより枢軸回転時に適当な位置で枢軸が停止させられ、枢軸の過度の回転が防止されることを特徴とする、軸受機構。
【請求項４】
請求項３に記載の軸受機構において、前記枢軸に位置決め溝が開設されたことを特徴とする、軸受機構。
【請求項５】
請求項１に記載の軸受機構において、前記枢軸が中空柱体とされて線体の貫通に供されることを特徴とする、軸受機構。
【請求項６】
請求項１に記載の軸受機構において、前記枢軸が第２装置との連接のための連接部を具えたことを特徴とする、軸受機構。
【請求項７】
請求項６に記載の軸受機構において、前記枢軸の連接部に第２装置とのネジ止めに供されるネジ孔が設けられたことを特徴とする、軸受機構。
【発明の詳細な説明】
【０００１】
【発明の属する技術分野】
本発明は一種の軸受機構に係り、特に、本体が第１装置に設置され、且つ本体に溝が開設され、並びにネジ孔が開設されて、ネジ部品により該溝が締めつけられ、該枢軸は中空柱体とされて内部に線体を通すことができ、且つその一端が該本体に枢接され、もう一端が第２装置に組み付けられた、軸受機構に関する。
【０００２】
【従来の技術】
図１から図２に示されるように、周知の枢軸装置は、第１部材１１と第２部材１２にそれぞれ突出する位置決め装置１１１、１２１が設けられ、並びに第１部材１１と第２部材１２に連接部１１２、１２２が設けられ、並びに第１部材１１の連接部１１２がベース１３上に設置され、第２部材１２の連接部１２２が回転物１４に設置され、並びに枢軸１５が第１部材１１と第２部材１２の貫通孔１１３、１２３を貫通し、第２部材１２が回転物１４と一体に枢軸１５を中心としてベース１３に対して回転できるものとされ、第１部材１１の突出する位置決め装置１１１が第２部材１２の突出する位置決め装置１２１に突き当たり動作を停止する。
【０００３】
しかしこのような周知の枢軸装置は外力により回されて停止位置に至って停止し、且つ先に停止位置が制限されるため、他の角度或いは位置で位置決めできず、且つ第１部材１１に対して第２部材１２が回転する時に回転速度を制御する装置がなく、その回転の速度は完全に外力作用により制御される。
【０００４】
【発明が解決しようとする課題】
請求項１の発明は、  軸受機構において、
本体とされ、第１装置に設置され、且つ該本体に溝が開設され、並びに該溝を締めつけるネジ部品のねじ込みに供されるネジ孔が開設された、上記本体と、
枢軸とされ、その一端が該本体に枢接され、もう一端が第２装置に組み付けられた、上記枢軸と、
を具え、上記ネジ部品による溝の緊迫により本体と枢軸の間の緊締度が調整され、並びに枢軸が第２装置を連帯回転させると共に位置決め機能を達成することを特徴とする、軸受機構としている。
請求項２の発明は、  請求項１に記載の軸受機構において、前記本体に線体の貫通に供される貫通孔が開設されたことを特徴とする、軸受機構としている。
請求項３の発明は、  請求項１に記載の軸受機構において、前記本体に位置決めネジ孔が設けられて位置決めネジがねじ込まれ、該この位置決めネジにより枢軸回転時に適当な位置で枢軸が停止させられ、枢軸の過度の回転が防止されることを特徴とする、軸受機構としている。
請求項４の発明は、  請求項３に記載の軸受機構において、前記枢軸に位置決め溝が開設されたことを特徴とする、軸受機構としている。
請求項５の発明は、  請求項１に記載の軸受機構において、前記枢軸が中空柱体とされて線体の貫通に供されることを特徴とする、軸受機構としている。
請求項６の発明は、  請求項１に記載の軸受機構において、前記枢軸が第２装置との連接のための連接部を具えたことを特徴とする、軸受機構としている。
請求項７の発明は、  請求項６に記載の軸受機構において、前記枢軸の連接部に第２装置とのネジ止めに供されるネジ孔が設けられたことを特徴とする、軸受機構としている。
【０００５】
【課題を解決するための手段】
本発明の主要な目的は、回転の緊度を調整して位置決めを達成できる軸受機構を提供することにある。
【０００６】
【発明の実施の形態】
本発明の軸受機構は、図３、４に示されるように、本体２１と枢軸２２を具え、該本体２１に溝２１１とネジ孔２１２が開設され、該ネジ孔２１２にネジ部品２１３がねじ込まれて該溝２１１を緊締し、並びに本体２１上面に位置決めネジ孔２１４が開設されて位置決めネジ２１５のねじ込みに供され、且つ該本体２１に貫通孔２１６と円溝２１７が設けられて枢軸２２の貫通に供され、並びに円溝２１７に貫通孔２１８が開設されている。該枢軸２２には貫通孔２２１が開設され且つその上に位置決め溝２２３が開設され、並びに該枢軸２２の一端に連接部２２４が設けられ、該連接部２２４にネジ孔２２５が開設され、位置決めネジ孔２１４と位置決め溝２２３により位置決めネジ２１５が位置決めネジ孔２１４及び位置決め溝２２３内にねじ込まれ、枢軸２２の本体２１への位置決めが達成され、これによりそれが限位機能を達成して脱落防止し、また本体２１のネジ孔２１２がネジ部品２１３による溝２１１の緊迫に供され、これにより本体２１と枢軸２２の間の緊締程度が調整されてそれが位置決め機能を達成するものとされる。
【０００７】
組立時には、枢軸２２の一端が本体２１の貫通孔２１６を貫通して円溝２１７内に挿入されて枢軸２２が本体２１に枢接され、さらにネジ部品２１３が本体２１に開設された円形貫通孔２１２ａ（図６参照）を貫通してネジ孔２１２にねじ込まれ、並びに該溝２１１を貫通し溝２１３を締めつけ、さらに位置決めネジ２１５が位置決めネジ孔２１４にねじ込まれて枢軸２２の位置決め溝２２３を制限し、限位機構を達成すると共に脱落を防止し、また本体２１にねじ込まれたネジ部品２１３が溝２１１を締めつけることにより、本体２１と枢軸２２の間の緊締度が調整され位置決め機能が達成される。
【０００８】
図４から図７に示されるように、本体２１は第１装置２３に固定され、ネジ部品２４２が第２装置２４の貫通孔２４１と枢軸２２の連接部２２４のネジ孔２２５にねじ込まれることにより、第２装置２４が枢軸２２に連結される。枢軸２２が回転する時に第２装置２４が連帯して第１装置２３に対して回転し、これと同時にネジ部品２１３が締めつけられる時、溝２１１の間隙が回転締めつけの力によりより小さくなり、円溝２１７が枢軸２２を緊締し、枢軸２２回転時の摩擦力により回転抵抗が大きくなる。ネジ部品２１３が緩められる時、溝２１１の間隙が大きくなり、円溝２１７内壁と枢軸２２外壁の間隙が大きくなり、枢軸２２回転時に発生する摩擦力が小さくなり回転抵抗が小さくなり、ネジ部品２１３による溝２１１の緊緩により、本体２１と枢軸２２の間の緊締度を調整でき、枢軸２２回転時に回転範囲内で任意に位置決めできる。
【０００９】
図８から図１０に示されるように、枢軸２２に連帯させ第２装置２４を第１装置２３に対して回転させる時、左向き或いは右向きのいずれの回転であっても、枢軸２２の位置決め溝２２３の左右両辺はいずれも本体２１の位置決めネジ２１５にブロックされ、枢軸２２の過度の回転が防止され、枢軸２２が本体２１外に移動する時、位置決め溝２２３が位置決めネジ２１５に突き当たるため、枢軸２２の外向きの脱落が防止される。
【００１０】
図１１から図１２に示されるように、枢軸２２は中空柱体とされてその貫通孔２２１内に線体２５を通してからさらに本体２１の貫通孔２１８を通すことができ、枢軸２２が回転時に第２装置２４が連帯して第１装置２３に対して回転する時、線体２５が枢軸２２の回転によりねじれて変形したり或いは絡むことがない。
【００１１】
【発明の効果】
総合すると、本発明の提供する軸受機構は、新規性、進歩性及び産業上の利用価値を有しており、特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知の枢軸装置の分解斜視図である。
【図２】周知の枢軸装置にベースと回転物を組み合わせた立体図である。
【図３】本発明の立体分解図である。
【図４】本発明の立体組合せ図である。
【図５】本発明を第１装置と第２装置に組合せた状態の斜視図である。
【図６】図５の平面局部断面図である。
【図７】図５の平面局部断面図である。
【図８】図５のＡ−Ａ断面図である。
【図９】図５の枢軸を左向きに回転させた時のＡ−Ａ断面図である。
【図１０】図５の平面局部断面図である。
【図１１】図５の装置に線体を組み合わせた斜視図である。
【図１２】図１１のＢ−Ｂ断面図である。
【符号の説明】
１１  第１手段                    １１２  連接部
１１１  突出する位置決め装置      １１３  貫通孔
１２  第２手段                    ２１６  貫通孔
１２１  突出する位置決め装置      ２１７  円溝
１２２  連接部                    ２１８  貫通孔
１２３  貫通孔                    ２２  枢軸
１３  ベース                      ２２１  貫通孔
１４  回転物                      ２２３  位置決め溝
１５  枢軸                        ２２４  連接部
２１  本体                        ２２５  ネジ孔
２１１  溝                        ２３  第１装置
２１２  ネジ孔                    ２４  第２装置
２１２ａ  円形貫通孔              ２４１  貫通孔
２１３  ネジ部品                  ２４２  ネジ部品
２１４  位置決めネジ孔            ２５  線体
２１５  位置決めネジ
【図１】
2004245291.tif 000003
【図２】
2004245291.tif 000004
【図３】
2004245291.tif 000005
【図４】
2004245291.tif 000006
【図５】
2004245291.tif 000007
【図６】
2004245291.tif 000008
【図７】
2004245291.tif 000009
【図８】
2004245291.tif 000010
【図９】
2004245291.tif 000011
【図１０】
2004245291.tif 000012
【図１１】
2004245291.tif 000013
【図１２】
2004245291.tif 000014